(57)【要約】      （修正有）【課題】着脱が容易で、且つ首回りのサイズの調整が可能な上衣を提供する。【解決手段】上衣１は、前身頃布２ａおよび後身頃布２ｂと、前後身頃布の上端にそれぞれ設けられ、それぞれが両端に紐通し口を有する紐通し部４ａ、４ｂと、紐通し部に通した紐６とを具え、前身頃布の両側部と後身頃布の両側部の少なくとも一部を互いに留め付けて左右の腕開口部７を形成するように構成される。【選択図】図３
0003199068.tif 000002
【実用新案登録請求の範囲】
【請求項１】
前身頃布および後身頃布と、
前記前身頃布と前記後身頃布の上端にそれぞれ設けられ、それぞれが両端に紐通し口を有する紐通し部と、
前記紐通し部に通した紐とを具え、
前記前身頃布の両側部と前記後身頃布の両側部の少なくとも一部を互いに留め付けて左右の腕開口部を形成することを特徴とする上衣。
【請求項２】
請求項１に記載の上衣において、前記前身頃布と前記後身頃布の両側部がそれぞれ、前記左右の腕開口部を残して縫合されていることを特徴とする上衣。
【請求項３】
請求項１に記載の上衣において、前記前身頃布と前記後身頃布の両側部がそれぞれ、前記前身頃布および前記後身頃布を互いに分離可能な少なくとも１つの係止手段によって留め付けられていることを特徴とする上衣。
【請求項４】
請求項１乃至３の何れか１項に記載の上衣において、前記紐を２本具え、一方の紐は、前記前身頃布と前記後身頃布の紐通し部を通り、かつ前記前後身頃布の紐通し部の一方の側にループを形成し、他方の側から前記一方の紐の両自由端が延在していると共に、他方の紐は、前記前身頃布と前記後身頃布の紐通し部を通り、かつ前記前後身頃布の紐通し部の前記他方の側にループを形成し、前記一方の側から前記他方の紐の両自由端が延在していることを特徴とする上衣。
【請求項５】
請求項１乃至３の何れか１項に記載の上衣において、前記紐を２本具え、一方の紐が前記前身頃布の紐通し部のみを通り、他方の紐が前記後身頃布の紐通し部のみを通り、前記２本の紐の両自由端が前記前後身頃布の紐通し口からそれぞれ延在していることを特徴とする上衣。
【請求項６】
請求項１乃至５の何れか１項に記載の上衣において、前記紐の自由端に、当該紐の長さを調整する部材を具えることを特徴とする上衣。
【考案の詳細な説明】
【技術分野】
【０００１】
本考案は、首回りのサイズ調整が可能な上衣に関し、特に、首回りに紐通し部を設け、この紐通し部に通した紐の引き締め具合を調整して首回りを狭める又は広げることによって、着脱可能であり、かつ容易にサイズ調整が可能な上衣に関する。
【背景技術】
【０００２】
従来の上衣は、例えばポロシャツなどに見られるように、首回りの前方、後方、または側方に開放部を設けて、この開放部にボタンやスナップボタン等の係止手段を設けることにより、上衣の着脱時にボタン等を解除をして首回りを広げたり、ボタン等を係合して着用するように構成したものがある（例えば、特許文献１、２参照）。しかしながら、このような衣類では、ボタン等の係止手段を係合・解除することによって首回りを広げたり狭めたりすることはできるが、首回りの開口部のサイズを調整することはできない。
【０００３】
また、着用者の指や手が不自由な場合、ボタンやスナップボタン等の係合および解除は困難な場合がある。また、スナップボタンやボタン等は着脱に時間が掛かるため、子供用上衣の場合、着脱を手伝う親の負担も増加する。
【０００４】
これに対し、首回りの開放部を係合するためにジッパーを用いて、首回りの開口部のサイズを調整することができるようにした上衣がある（例えば、特許文献３参照）。しかし、ジッパーは縫製に手間が掛かるという問題がある。
【０００５】
【特許文献１】登録実用新案公報第３１９２１４３号
【特許文献２】特開２００６−２０７０３８
【特許文献３】特開２００７−０３９８２７
【考案の概要】
【考案が解決しようとする課題】
【０００６】
本考案の目的は、上衣の首回りの開口部を容易に広げたり狭めたりできるようにして、着脱及び首回りのサイズ調整を適宜可能にした上衣を提供することである。
【課題を解決するための手段】
【０００７】
本考案に係る上衣は、
前身頃布および後身頃布と、
前記前身頃布と前記後身頃布の上端にそれぞれ設けられ、それぞれが両端に紐通し口を有する紐通し部と、
前記紐通し部に通した紐とを具え、
前記前身頃布の両側部と前記後身頃布の両側部の少なくとも一部を互いに留め付けて左右の腕開口部を形成したことを特徴とする。
【０００８】
本考案に係る上衣は、前記前身頃布と前記後身頃布の両側部がそれぞれ、前記左右の腕開口部を残して縫合されていることを特徴とする。
【０００９】
本考案に係る上衣は、前記前身頃布と前記後身頃布の両側部がそれぞれ、前記前身頃布および前記後身頃布を互いに分離可能な少なくとも１つの係止手段によって留め付けられていることを特徴とする。
【００１０】
本考案に係る上衣は、前記紐を２本具え、一方の紐は、前記前身頃布と前記後身頃布の紐通し部を通り、かつ前記前後身頃布の紐通し部の一方の側にループを形成し、他方の側から前記一方の紐の両自由端が延在していると共に、他方の紐は、前記前身頃布と前記後身頃布の紐通し部を通り、かつ前記前後身頃布の紐通し部の前記他方の側にループを形成し、前記一方の側から前記他方の紐の両自由端が延在していることを特徴とする。
【００１１】
本考案に係る上衣は、前記紐を２本具え、一方の紐が前記前身頃布の紐通し部のみを通り、他方の紐が前記後身頃布の紐通し部のみを通り、前記２本の紐の両自由端が前記前後身頃布の紐通し口からそれぞれ延在していることを特徴とする。
【００１２】
本考案に係る上衣は、前記紐の自由端に当該紐の長さを調整する部材を具えることを特徴とする。
【考案の効果】
【００１３】
本考案の上衣は底部が開口した巾着のような形状をしており、上衣の首回りに紐通し部を設けて紐が通るように構成されているため、紐の引き締め具合を調整することによって、当該上衣の着脱、および首回りのサイズ調整が可能となる。
【００１４】
さらに、本考案の上衣は、紐を引っ張る、または緩める動作だけで首回りのサイズを調整することができるため、ボタン等の係止手段の着脱が困難な高齢者や、指又は手が不自由な人も容易に着用することができる。又、子ども用衣服に適用した場合、着脱を手伝う親の負担を低減させることができる。
【考案を実施するための形態】
【００１５】
以下、本考案の実施形態を添付図面に基づいて説明する。
【００１６】
図１乃至５に本考案の上衣の実施例を示す。なお、以下の実施例は大人用上衣を例に説明しているが、本考案は子供または幼児用の上衣としても適用することができる。
【００１７】
図１は、本考案の上衣を着用した状態を示す正面図であり、図２、３は、本実施形態の上衣の概略正面図であって、引締め紐を緩めて首回りを広げた状態と、引締め紐を引き締めて首回りを狭めた状態とをそれぞれ示している。図４は、本考案の別の実施形態の上衣の概略正面図である。また、図５は、本考案の袖付きの上衣の概略正面図である。
【００１８】
本考案の上衣１は、前身頃布２ａと後身頃布２ｂの両側部を袖ぐりを残して、例えば縫合することにより、着用者の胴体を覆う筒状の本体布部３を形成している。また、図２、３に示すように、前後身頃布２ａ、２ｂの上端にはそれぞれ紐通し部４ａ、４ｂが設けられており、これらの紐通し部４ａ、４ｂの両端には紐通し口５ａ、５ａ’、５ｂ、５ｂ’が設けられている。図に示すように、引締め紐６、６’を紐通し部４ａ、４ｂに通して、これを引っ張ったり緩めたりすることにより、首回りのサイズが調整できるように構成されている。なお、紐通し部４は、前後身頃布２ａ、２ｂの上端を三つ折りして縫合する、あるいはテープを縫合する等、当該分野における当業者に既知の方法によって形成することができる。また、前身頃布２ａおよび後身頃布２ｂの両側部の上方は開口して袖口を形成しており、着用者はこの開口部７から腕を出すことができる。
【００１９】
図２、３に示す実施例１では、一方の引締め紐６は、前身頃布２ａの右側の紐通し口５ａから紐通し部４ａに入り、反対側の紐通し口５ａ’を出て後身頃布２ｂの左側の紐通し口５ｂ’に入り、次いで後身頃布２ｂの紐通し部４ｂを通って紐通し口５ｂを出るように配設されており、紐通し部４ａ、４ｂの左側にループを形成している。また、他方の引締め紐６’が引締め紐６とは逆方向に、すなわち、前身頃布２ａの左側の紐通し口５ａ’から紐通し部４ａに入り、反対側の紐通し口５ａを出て後身頃布２ｂの右側の紐通し口５ｂに入り、次いで後身頃布２ｂの紐通し部４ｂを通って紐通し口５ｂ’を出るように配設されており、紐通し部４ａ、４ｂの右側にループを形成している。したがって、２本の引締め紐６、６’のループ部分は、紐通し部４ａ、４ｂの反対側に対向して形成される。なお、紐通し口５ａ、５ａ’、５ｂ、５ｂ’からそれぞれ延在する２本の引締め紐６、６’の両自由端は、互いに結んでおいてもよい。
【００２０】
図１に示すように、上衣１の着用時、紐通し部４を設けた身頃布２ａ、２ｂの上端が着用者の首周りとなる。そのため、紐通し部４に配設された引締め紐６、６’を調整して上衣１の首回りを絞ることにより、着用者に合わせて上衣１の首回りのサイズを調整することができる。また、上衣１を着脱する際は、引締め紐６、６’を緩めて首回りを容易に押し広げることができる。このように、本考案によれば、引締め紐の簡単な操作のみで、上衣を着脱したり、着用者に合わせて上衣のサイズを調整することが可能となる。
【００２１】
なお、上記実施例１は、上衣１に２本の引締め紐６、６’を設けることによって紐通し部４の両側から引締め紐を調整できるように構成されているが、１本の引締め紐のみを設けて、紐通し部４の片側のみから引締め紐を調整できるように構成してもよい。
【００２２】
図４に、本考案の実施例２を示している。実施例１の上衣１では、前身頃布２ａと後身頃布２ｂの両側部が腕開口部７を残して本体布部３の下端まで縫合されているが、実施例２では、前身頃布２ａと後身頃布２ｂそれぞれの両側部に少なくとも１つのスナップボタン、ボタン等の係止手段８を設けて、前身頃布２ａと後身頃布２ｂを留め付けるように構成されている。このような実施形態では、上衣１を着用した状態で係止手段８を解除して前身頃布２ａ又は後身頃布２ｂを捲り上げることができるため、例えば、病衣や検査衣、授乳服としても利用することができる。
【００２３】
さらに、実施例２は、実施例１とは異なり、一方の引締め紐６が前身頃布２ａの紐通し部４ａのみを通り、他方の引締め紐６’は後身頃布２ｂの紐通し部４ｂのみを通るように構成されている。そのため、引締め紐６、６’はループを形成せず、各引締め紐６、６’の両自由端が身頃布２ａ、２ｂの両側の紐通し口５、５’からそれぞれ延在しており、着用時に前身頃布側と後身頃布側の引締め紐６、６’を互いに結ぶことによって、上衣１の首周りを形成することができる。この上衣１は、前後身頃布２ａ、２ｂに適宜ギャザーを寄せることによって、首回りのサイズを調整することができる。
【００２４】
図５は、本考案の実施例３を示す概略正面図である。本例では、本体布部３に袖部９をさらに設けることにより、本考案の上衣を袖付きの上衣とすることも可能である。
【００２５】
なお、上記実施例１−３の構成は互いに組み合わせることができる。例えば、実施例１に示すような前身頃布２ａと後身頃布２ｂの両側部を縫合した上衣１において、２本の引締め紐６がループを形成することなく、前後身頃布２ａ、２ｂの紐通し部４ａ、４ｂの何れか一方のみをそれぞれ通るように構成してもよく、また、実施例２に示すような上衣１を袖付き上衣として構成してもよい。
【００２６】
上記実施形態は大人用上衣を示しているが、本願考案は子供用上衣として利用することもできる。大人用上衣と同様、着用者の体型に合わせて引締め紐を引っ張り、首回りのサイズを自由に調整することができるため、１つの規格で多様な体型に適用することができ、成長が早い子供でも長年にわたって着用することができる。更に、本願考案はペット用衣服として適用することもできる。
【００２７】
また、引締め紐６は、リボン等の任意の材質、および任意の長さを使用することができる。特に、着用者が子供の場合、紐通し口から延在する紐のループが誤って引っかかったり引っ張られることで首回りが引き締められて首が圧迫されるのを防止するために、引締め紐に伸縮性の材料を使用してもよい。また、引締め紐６の端部に、紐の長さを調整する部材としてコードストッパーやループエンド等を取り付けてもよい。
【００２８】
実施例１−３は上衣として構成されているが、本体布部３の丈を長くすることによってワンピースとして構成してもよい。さらに、上衣としてだけでなく、エプロンとして利用してもよい。また、本体布部３の長さ、幅、形状は適宜変更してもよい。このように、本考案に係る上衣は、実用新案登録請求の範囲から外れることなく、様々な変更を加えることができることを理解されたい。したがって、本明細書及び添付した図面に示される事項は、限定するよう解釈すべきではない。
【図面の簡単な説明】
【００２９】
【図１】図１は、本考案の上衣の着用状態を示す正面図である。
【図２】図２は、首回りを緩めた状態の本考案の実施例１の上衣の概略正面図である。
【図３】図３は、首回りを引き締めた状態の本考案の実施例１の上衣の概略正面図である。
【図４】図４は、本考案の実施例２の上衣の概略正面図である。
【図５】図５は、本考案の実施例３の上衣の概略正面図である。
【符号の説明】
【００３０】
１  上衣  
２ａ、２ｂ  身頃布
３  本体布部  
４、４ａ、４ｂ  紐通し部
５、５’、５ａ、５ａ’、５ｂ、５ｂ’  紐通し口
６、６’  引締め紐
７  腕開口部  
８  係止手段
９  袖部
【図１】
0003199068.tif 000003
【図２】
0003199068.tif 000004
【図３】
0003199068.tif 000005
【図４】
0003199068.tif 000006
【図５】
0003199068.tif 000007